(57)【特許請求の範囲】
【請求項１】
セルラ通信ネットワークにおいて送信出力電力を制御する方法であって、
信号送信におけるサブフレームについて所定のパワーマスクを設定する設定ステップであって、前記サブフレームは、複数のＯＦＤＭ（特高周波数分割多重）シンボルを有し、前記パワーマスクは、第１のパワーランプが開始される始点、該第１のパワーランプが終了する終点、第２のパワーランプが開始される始点、および、該第２のパワーランプが終了する終点のいずれかに関連した少なくとも１つのマスクパラメータを有する、設定ステップと、
前記信号送信の特徴に依存して、前記第１のパワーランプと前記第２のパワーランプとの少なくとも一方を前記サブフレームの内側もしくは外側に位置させるよう、前記信号送信の特徴を示す信号送信特徴に対して前記少なくとも１つのマスクパラメータを適合させる適合ステップであって、前記信号送信の特徴には、前記サブフレームによって送信されようとしている信号の内容と、前記サブフレームの後続のサブフレームによって送信されようとしている信号の内容との少なくとも一方が含まれ、当該後続のサブフレームにはデータが含まれている、適合ステップと、
前記適合させられた前記少なくとも１つのマスクパラメータを前記サブフレームに適用する適用ステップと
を有することを特徴とする方法。
【請求項２】
前記方法は、ユーザ装置（ＵＥ）によって実行されることを特徴とする請求項１に記載の方法。
【請求項３】
前記少なくとも１つのマスクパラメータをどのように適合させるか示す指示をネットワークノードから受信するステップをさらに有することを特徴とする請求項２に記載の方法。
【請求項４】
前記指示は、複数の規格化されたパワーマスクのうちの１つを示す識別情報を含んでいることを特徴とする請求項３に記載の方法。
【請求項５】
前記方法は、ネットワークノードによって実行されることを特徴とする請求項１に記載の方法。
【請求項６】
前記適合ステップは、前記サブフレームの内側に前記第２のパワーランプの終点が位置するように該終点についてのマスクパラメータを調整することによって、実行されるステップであることを特徴とする請求項１ないし５のいずれか１項に記載の方法。
【請求項７】
前記適合ステップは、前記サブフレームがデータを搬送し、かつ、該サブフレームに後続する後続サブフレームもデータを搬送するときに、該サブフレームの内側に前記第２のパワーランプの始点が位置するように該始点についてのマスクパラメータを調整するとともに、該サブフレームの外側に前記第２のパワーランプの終点が位置するように該終点についてのマスクパラメータを調整し、さらに、前記第２のパワーランプの継続期間の長さを短縮することによって、実行されるステップであることを特徴とする請求項１ないし６のいずれか１項に記載の方法。
【請求項８】
前記適合ステップは、前記サブフレームに後続する後続サブフレームが高次変調された信号を含んでいるときに、前記サブフレームの内側に前記第２のパワーランプの終点が位置するように該終点についてのマスクパラメータを調整することによって、実行されるステップであることを特徴とする請求項１ないし７のいずれか１項に記載の方法。
【請求項９】
前記適合ステップは、前記サブフレームに後続する後続サブフレームが低次変調された信号を含んでいるときに、前記サブフレームの外側に前記第２のパワーランプの始点が位置するように該始点についてのマスクパラメータを調整することによって、実行されるステップであることを特徴とする請求項１ないし８のいずれか１項に記載の方法。
【請求項１０】
前記適合ステップは、信号妨害のレベルが所定の閾値以下であるときに、前記サブフレームの外側に前記第１のパワーランプの終点が位置するように該終点についてのマスクパラメータを調整するとともに、前記サブフレームの外側に前記第２のパワーランプの始点が位置するように該始点についてのマスクパラメータを調整することによって、実行されるステップであることを特徴とする請求項１ないし９のいずれか１項に記載の方法。
【請求項１１】
前記適合ステップは、信号妨害のレベルが所定の閾値を超えているときに、前記サブフレームの内側に前記第１のパワーランプの始点が位置するように該始点についてのマスクパラメータを調整するとともに、前記サブフレームの内側に前記第２のパワーランプの終点が位置するように該終点についてのマスクパラメータを調整することによって、実行されるステップであることを特徴とする請求項１ないし１０のいずれか１項に記載の方法。
【請求項１２】
セルラ通信ネットワークにおいて送信出力電力を制御する装置であって、
信号送信におけるサブフレームについて所定のパワーマスクを設定する設定部であって、前記サブフレームは、ＯＦＤＭ（直交周波数分割多重）シンボルを有しており、前記パワーマスクは、第１のパワーランプが開始される始点、該第１のパワーランプが終了する終点、第２のパワーランプが開始される始点、および、該第２のパワーランプが終了する終点のいずれかに関連した少なくとも１つのマスクパラメータを有する、設定部と、
前記信号送信の特徴に依存して、前記第１のパワーランプと前記第２のパワーランプとの少なくとも一方を前記サブフレームの内側もしくは外側に位置させるよう、前記信号送信の特徴を示す信号送信特徴に対して前記少なくとも１つのマスクパラメータを適合させる適合処理部であって、前記信号送信の特徴には、前記サブフレームによって送信されようとしている信号の内容と、前記サブフレームの後続のサブフレームによって送信されようとしている信号の内容との少なくとも一方が含まれ、前記後続のサブフレームはデータを含んでいる、適合処理部と、
前記適合させられた前記少なくとも１つのマスクパラメータを前記サブフレームに適用する適用処理部と
を備えることを特徴とする装置。
【発明の詳細な説明】
【技術分野】
【０００１】
本発明は、無線通信の分野に関し、特にセルラ通信ネットワークにおける送信電力制御方法および装置に関する。
【背景技術】
【０００２】
ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の無線アクセスネットワークを表す用語である。ＵＴＲＡＮは、無線ネットワーク制御装置（ＲＮＣ）と、ＮｏｄｅＢすなわち無線基地局とで構成されている。ＮｏｄｅＢは移動ユーザ装置（ＵＥ）と無線通信し、ＲＮＣはＮｏｄｅＢを制御する。ＲＮＣは、コアネットワーク（ＣＮ）にさらに接続されている。Ｅ−ＵＴＲＡＮ（Ｅｖｏｌｖｅｄ  ＵＴＲＡＮ）は、高データレート、低レイテンシ（遅延）で、かつパケットに最適化した無線アクセスネットワーク向けのＵＴＲＡＮの進化型である。また、Ｅ−ＵＴＲＡＮは、ｅ−ＮｏｄｅＢ（ｅｖｏｌｖｅｄ  ＮｏｄｅＢ）で構成されており、ｅ−ＮｏｄｅＢは、相互接続され、その上ＥＰＣ（Ｅｖｏｌｖｅｄ  Ｐａｃｋｅｔ  Ｃｏｒｅ  Ｎｅｔｗｏｒｋ）に接続されている。Ｅ−ＵＴＲＡＮは、ＬＴＥ（Ｌｏｎｇ  Ｔｅｒｍ  Ｅｖｏｌｕｔｉｏｎ）とも呼ばれ、第３世代パートナーシッププロジェクト（３ＧＰＰ）内で標準化されている。
【０００３】
例えばＥ−ＵＴＲＡＮ、ＨＳＰＡ（Ｈｉｇｈ  Ｓｐｅｅｄ  Ｐａｃｋｅｔ  Ａｃｃｅｓｓ）またはＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）のアップリンクなどの時間多元接続システムでは、送信機が、特定の割り当てられたタイムスロットで送信する。従って、送信機は、タイムスロットの始期に送信を開始し、タイムスロットの終期に送信機の電源を切る。また、送信機の送信電力がタイムスロット毎かまたはタイムスロットの期間内で変化することはありうる。
【０００４】
送信機は、通常、送信電力を出力するためにおよび送信電力を停止するために、いくらかの時間を必要とする。この意味することは、送信電力の出力および停止が瞬時に起こらないことである。さらに、オン状態とオフ状態との間の非常に急な移行は、隣接キャリアに好ましくない信号を放出し、隣接チャネル干渉を引き起こすであろう。この隣接チャネル干渉は、一定レベル内に抑えられるべきである。このように、遷移期間すなわち送信機がオフ状態からオン状態へ、またはその逆に切り替わる時間が存在する。これらの遷移期間中における送信機の出力信号は、送信機が完全にオンであるときの出力信号と比較して信号品質が良くないという意味で、不明確な信号となってしまう。図１に遷移期間が示されている。また、遷移期間中の送信電力は、パワーランプ(電力の立ち上げ、立ち下げ)と呼ばれる。
【０００５】
図１に示されているように、ランピング継続期間は、サブフレームまたはタイムスロットの長さに比べて通常非常に短いが、その位置は、システム性能に影響を及ぼす位置である。ランピングまたは遷移期間に関して、３つの可能性がある。
・図２ａに示されるようにタイムスロット／サブフレームの外側でのランピング
・図２ｂに示されるようにタイムスロット／サブフレームの内側でのランピング
・図２ｃに示されるようにタイムスロット／サブフレームの一部内側および一部外側でのランピング
パワーマスクは、タイムマスクとも呼ばれ、例えば遷移イベント中の所与の時間およびランプ開始時における許容送信電力などを規定する。例えば、送信機のランプアップ（立ち上げ）時すなわち送信電力の増加時に、パワーマスクは、遷移イベント前、遷移イベント中、および遷移イベント後にどのくらいの大きさの送信電力が許容されるかと、さらにランプアップをいつ開始すべきかを指定してもよい。許容送信電力は、片側に開いた範囲(オープンレンジ)、すなわち特定のレベル未満として表されてもよいし、間隔、すなわち送信電力ＸとＹとの間として表されてもよい。
【０００６】
ＧＳＭおよびＷＣＤＭＡ（広帯域符号分割多元接続）においては、パワーマスクがタイムスロットレベル（それぞれ５７７μｓおよび６６７μｓ）で規定されていることに注目すべきである。Ｅ−ＵＴＲＡＮにおいて、パワーマスクは、サブフレームレベル（１ｍｓ）およびＳＣ−ＯＦＤＭ（シングルキャリア直交周波数分割多重）シンボルレベルで規定されることになり、例えばサウンディング基準シンボル（ＳＲＳ）がサブフレームで送信されるときに適用されるであろう。
【０００７】
ランピング期間の悪影響を避けるために現在使用されている方法がいくつかある。ＧＳＭおよびＵＴＲＡ−ＴＤＤ（Ｕｎｉｖｅｒｓａｌ  Ｔｅｒｒｅｓｔｒｉａｌ  Ｒａｄｉｏ  Ａｃｃｅｓｓ−Ｔｉｍｅ−Ｄｉｖｉｓｉｏｎ  Ｄｕｐｌｅｘ）においては、実際の信号が送信される少し前に、送信機の電源が入れられる。このやり方では、実際の信号を送信する前に、送信機がオン状態になるための時間がいくらか確保される。タイムスロットの終わりでは、信号を完全に送信するまで送信機の電源は切られない。タイムスロット同士が時間的に隣接しており、タイムスロット外でエネルギーが送信される場合、あるユーザ装置から送信されたエネルギーは、別のユーザ装置からの信号に干渉を引き起こすであろう。この問題を軽減するために、タイムスロット間に極めて短いガードインターバルが挿入される。ＵＴＲＡ−ＦＤＤ（ＵＴＲＡ−Ｆｒｅｑｕｅｎｃｙ−Ｄｉｖｉｓｉｏｎ  Ｄｕｐｌｅｘ）においては、この解決手段が利用されていない。信号が送信されるとき、送信機は十分にオン状態になっておらず、信号送信が完了する前に、送信機の電源が切られてしまう。この場合、信号の符号化および拡散がランピング期間の影響を軽減することになろう。
【０００８】
ＵＴＲＡＮでは、送信電力制御が、タイムスロットレベルで作用する。この意味することは、送信電力変化がタイムスロットごとに起こり、その結果として送信パワーマスクがタイムスロットベースで規定されていることである。また、Ｅ−ＵＴＲＡＮでは、送信電力制御がサブフレームベースで作用し、それ故、送信パワーマスクは、サブフレームレベルおよびＯＦＤＭシンボルレベルで規定されている。
【０００９】
前述したように、Ｅ−ＵＴＲＡアップリンクでは、サブフレームの継続期間が１ｍｓである。サブフレームは、１４個または１２個のＳＣ−ＯＦＤＭシンボルから構成される。サブフレームの最後のシンボルは、チャネル推定目的で用いられるＳＲＳの送信に使用できよう。ＳＲＳは、アップリンクチャネル依存スケジューリングおよびタイムトラッキングを行うためにも使用されてもよい。ＳＲＳ用の送信電力は、サブフレームの他のシンボルに使用される送信電力とは異なってもよい。図３に異なる送信電力の関係が示されている。しかし、図３に示されるような急峻な送信電力の変更は、実施可能でないことに注目すべきである。
【００１０】
Ｅ−ＵＴＲＡＮでは、アップリンクタイムスロットは、互いに時間的に隣接して置かれる。ＵＴＲＡ向けに存在する最先端の解決手段では、明確な固定のランプアップ期間とランプダウン期間の１組が非特許文献１および２の規格に定められている。従って、信号品質と他のタイムスロットへの干渉との間のトレードオフが、システムを設計するとき設定される。図４は、パワーランプの配置が、送信電力が一定でないことによる信号品質の劣化の問題およびユーザへの干渉の問題を引き起こすことを示す。
【先行技術文献】
【非特許文献】
【００１１】
【非特許文献１】３ＧＰＰ  ＴＳ  ２５．１０１
【非特許文献２】３ＧＰＰ  ＴＳ  ２５．１０２
【発明の概要】
【発明が解決しようとする課題】
【００１２】
しかし、例えばサウンディング基準シンボル（ＳＲＳ）などのある種の信号は、特にアップリンクチャネル依存スケジューリングに利用されるとき、品質が良い必要がある。また他の状況ではスループットを最大にするために、パワーランピングに起因する干渉は、データシンボルなどの他の信号に対してできるだけ少なくする必要がある。
【００１３】
その結果、Ｅ−ＵＴＲＡＮにおける送信電力制御を改善する必要がある。
【００１４】
それ故、本発明の一目的は、送信電力の管理を改善する方法および装置を提供することである。
【課題を解決するための手段】
【００１５】
本発明の第１の態様によれば、セルラ通信ネットワークにおける送信電力制御方法が提供される。本方法では、信号送信のサブフレームとＯＦＤＭシンボルの少なくとも１つに対して事前定義済パワーマスクが設定される。パワーマスクは、以下のいずれかに関連する少なくとも１つのパラメータによって定義される。それらは、第１のパワーランプの始点、第１のパワーランプの終点、第２のパワーランプの始点、第２のパワーランプの終点、第１および第２のパワーランプのそれぞれ第１および第２の継続期間、ならびに第１および第２のパワーランプの特定の時間におけるそれぞれ第１および第２の電力レベルである。また、本方法では、パワーマスクの少なくとも１つのパワーマスクパラメータの少なくとも１つが、信号送信の信号送信特徴に適合される。また、適合済パワーマスクは、サブフレームとＯＦＤＭシンボルの少なくとも１つに適用される。
【００１６】
本発明の第２の態様によれば、セルラ通信ネットワークにおける送信電力制御装置が提供される。本装置は、信号送信のサブフレームとＯＦＤＭシンボルの少なくとも１つに対して事前定義済パワーマスクを設定するユニットを備える。パワーマスクは、以下のいずれかに関連する少なくとも１つのパラメータによって定義される。それらは、第１のパワーランプの始点、第１のパワーランプの終点、第２のパワーランプの始点、第２のパワーランプの終点、第１および第２のパワーランプのそれぞれ第１および第２の継続期間、ならびに第１および第２のパワーランプの特定の時間におけるそれぞれ第１および第２の電力レベルである。また、本装置は、パワーマスクの少なくとも１つのパワーマスクパラメータの少なくとも１つを信号送信の信号送信特徴に適合させるユニットを備える。また、本装置は、適合済パワーマスクをサブフレームとＯＦＤＭシンボルの少なくとも１つに適用するユニットを備える。
【００１７】
本発明の１つの利点は、高品質のユーザから特定の送信信号すなわち基準信号を送信可能であると同時に、他のユーザとの干渉を最小にすることが可能なことである。従って、システムのスループットを高く維持しうる。
【００１８】
本発明の別の利点は、異なるユーザに対してサービス品質に違いを付けることが可能なことである。
【００１９】
より良い理解のために、以下の図面および本発明の好適な実施形態を参照する。
【図面の簡単な説明】
【００２０】
【図１】送信電力が変更されるかまたは送信機の電源がオンもしくはオフされるときに生じる遷移期間を示す図である。
【図２ａ】パワーマスクランプのありうる位置を示す図である。
【図２ｂ】パワーマスクランプのありうる位置を示す図である。
【図２ｃ】パワーマスクランプのありうる位置を示す図である。
【図３】アップリンクサブフレームが１４のＳＣ−ＯＦＤＭシンボルから構成される一例を示す図である。
【図４】パワーマスクランプの配置によって引き起こされる信号品質および干渉の問題を示す図である。
【図５】本発明を実施しうる第３世代セルラ通信ネットワークおよびその進化型ネットワークの一般的アーキテクチャを示す図である。
【図６ａ】パワーマスクおよび様々なパワーマスクパラメータを示す図である。
【図６ｂ】パワーマスクおよび様々なパワーマスクパラメータを示す図である。
【図７ａ】本発明の方法を示すフロー図である。
【図７ｂ】本発明の一実施形態を示すフロー図である。
【図８】本発明の一実施形態による、パワーマスクパラメータをどのように適合させるかのルールセットの一例を示す図である。
【図９ａ】本発明の一実施形態による、パワーマスクパラメータをどのように適合できるかの例を示す図である。
【図９ｂ】本発明の一実施形態による、パワーマスクパラメータをどのように適合できるかの例を示す図である。
【図９ｃ】本発明の一実施形態による、パワーマスクパラメータをどのように適合できるかの例を示す図である。
【図９ｄ】本発明の一実施形態による、パワーマスクパラメータをどのように適合できるかの例を示す図である。
【図９ｅ】本発明の一実施形態による、パワーマスクパラメータをどのように適合できるかの例を示す図である。
【図１０】本発明の一実施形態による装置を概略的に示すブロック図である。
【図１１】本発明の一実施形態による、ＵＥに実装された装置を概略的に示すブロック図である。
【発明を実施するための形態】
【００２１】
以下の記述では、本発明の完全な理解を提供する手段として、限定でなく説明のために、特定のステップシーケンス、シグナリングプロトコル、およびデバイス構成などの具体的な詳細を記載する。本発明がこれらの具体的な詳細から離れた他の実施形態で実践されてもよいことは、当業者には明らかであろう。
【００２２】
また、本明細書の以下で説明する手段および機能が、プログラムされたマイクロプロセッサまたは汎用コンピュータで動作するソフトウェアを使用して、および／または特定用途向け集積回路（ＡＳＩＣ）を使用して、実施されてもよいことを当業者は理解するであろう。本発明について方法およびデバイスの形態で主に記述するが、本発明は、コンピュータプログラムでも、またコンピュータプロセッサおよびプロセッサに結合されたメモリを備え、かつメモリに本明細書に開示の機能を実行しうる１つ以上のプログラムをエンコードされているシステムでも具現されてもよい。
【００２３】
図５に、本発明を実施しうる第３世代セルラ通信ネットワークおよびその進化型ネットワークの一般的アーキテクチャが示されている。通信ネットワークは、音声およびパケットデータなどの種々の通信サービスを提供するために広く配備されている。図５に示されるように、セルラ通信ネットワークは、コアネットワークＥＰＣ５２に接続された１つ以上のｅＮｏｄｅＢ５０を有してもよく、複数のユーザ装置（ＵＥ）５４が１つのセル内に在ってもよい。上記のように、Ｅ−ＵＴＲＡＮにおける送信電力制御を改善する必要がある。従って、本発明は、図５に示されるようなセルラ通信ネットワークにおける送信電力制御方法および装置を備える。一実施形態によれば送信電力制御の改善は、事前定義済電力マスクを信号送信の信号送信特徴すなわち送信される信号のコンテンツに適合させ、適合済パワーマスクをサブフレームまたはＯＦＤＭシンボルに適用することによって達成される。本方法は、ｅＮｏｄｅＢなどのネットワークノードまたはＵＥにおいてさらに実施できよう。
【００２４】
パワーマスクは、送信電力をオフからオンへ切り替えるための遷移期間と送信電力をオンからオフへ切り替えるための遷移期間であり、１つまたはいくつかのパワーマスクパラメータによって定義される。パワーマスクの一例が図６ａに示されている。パワーマスクは、第１のパワーランプ（立ち上がり）および第２のパワーランプ（立ち下がり）を有する。第１のパワーランプは、始点および終点を有する。また、第２のパワーランプも、始点および終点を有する。図６ｂにさらに示されているように、パワーマスクは、この例において第１のパワーランプの継続期間および第２のパワーランプの継続期間によって定義される。パワーマスクは、ランプの特定の時間における第１の電力レベルおよび第２の電力レベルによってさらに定義することができよう。
【００２５】
これより図７〜１１を参照するが、これらの図は、本発明の実施形態による方法のフロー図および装置の略ブロック図を示す。
【００２６】
図７ａは、本発明の第１の実施形態による方法を示すフロー図を示し、７０において、信号送信に適用される事前定義済パワーマスクが、信号送信のサブフレームまたはＯＦＤＭシンボルに対して設定される。これは、事前定義済パワーマスクを使用して行われてもよい。この事前定義済パワーマスクは、前述のように１つまたはいくつかのパワーマスクパラメータによって定義されている。次いで７２において、１つまたはいくつかのパワーマスクパラメータが、信号送信の信号送信特徴に適合される。本発明は、以下のような複数の信号送信特徴の１つ以上に従って、パワーマスクパラメータを適合させる実行可能手段を提供する。
・サブフレームまたはＯＦＤＭシンボルで送信される信号のコンテンツ
・次のサブフレームまたはＯＦＤＭシンボルで送信される信号のコンテンツ
・例えばトラヒック負荷などの所与の条件
・スケジューリング、リンクアダプテーションおよびタイムトラッキングのような特殊用途向けの基準信号ベースの測定を例えば用いた、ネットワーク構成
・例えばセルサイズなどの配備シナリオ
さらに、次いで７４において、サブフレームまたはＯＦＤＭシンボルが送信されるとき、適合済パワーマスクがサブフレームまたはＯＦＤＭシンボルに適用される。従って、送信電力の変化、すなわちパワーマスクが適用されている信号を送信する送信機の電源オンまたは電源オフの時点、つまり、パワーマスクのランプの位置が、単一の信号送信特徴または信号送信特徴の組み合わせによって決定される。事前定義済パワーマスクの適合は、例えば標準ルールまたはシグナリングによる設定などの様々なやり方で実現されてもよい。
【００２７】
標準ルールは、ランプをいつ開始または終了するか、ならびにランプの継続期間を決定するために、利用される。図８では、パワーマスクパラメータをどのように適合させるかのルールセットの一例が示されている。各矢印８１〜８７はルールを表す。どのサブフレームまたはどのシンボルが送信されたか、ならびに次にどのサブフレームまたはどのシンボルが送信されるかに応じて、特定のルールが選択される。第１の状態ボックス８１０は、サブフレームまたはシンボルがデータを含むときの、信号送信の信号送信特徴を表す。第２の状態ボックス８２０は、サブフレームまたはシンボルのコンテンツが制御シンボルまたは基準シンボルであるときの、信号送信の信号送信特徴を表す。第３の状態ボックス８３０は、サブフレームまたはシンボルがデータを含んでいないときの、信号送信の信号送信特徴を表す。例えば、第３の状態ボックス８３０は、ＵＥがオフ状態にあるときであろう。オフ状態のＵＥは、アイドルモードと接続維持モードのどちらにもなりうることに注目すべきである。信号送信の信号送信特徴は、あるサブフレームまたはシンボルから次のサブフレームまたはシンボルへの移り変わりであることもできよう。各ルールは、パワーマスクランプの１つまたはいくつかのパラメータ、すなわち始点、終点および継続期間に関連する。パワーマスクパラメータは、標準に従って定義されてもよいし、また図５に示されるコアネットワーク５２から伝達されてもよい。
【００２８】
パワーマスクパラメータの適合は、例えばスケジューリング情報のようなネットワーク構成などの信号送信の信号送信特徴によっても決定されてもよい。一例は、基地局すなわちｅＮｏｄｅＢからセル内に送信されるスケジューリング情報である。Ｅ−ＵＴＲＡＮでは、スケジューリング情報は、ＰＤＣＣＨ（物理ダウンリンク制御チャネル、Physical Downlink Control Channel）で送信される。アップリンク送信に関してセル内のどのＵＥもどのサブフレームにもスケジュールされうるので、あらゆるＵＥがＰＤＣＣＨで送信されるスケジューリング情報をリッスン（受信）することになっている。スケジューリング情報は、どのサブフレームが使用され、どのサブフレームが使用されないかを示す。スケジューリング情報をリッスンすることによって、ＵＥは、ＵＥがスケジュールされているサブフレームに続くサブフレーム、すなわち次のサブフレームが別のＵＥで使用されるか否かを判定しうる。次いでＵＥは、この情報に基づきランプの位置を適合させうる。さらに、信号品質を最高にするために、送信されるサブフレームの次のサブフレームがデータを含まないとき、ルール８４は、図９ａに示されるように、第２のパワーランプの始点パラメータをサブフレームの外側に始点を置くように調節することによってパワーマスクパラメータの適合を行うルールである。干渉を最小限に抑えるために、送信されるサブフレームの次のサブフレームがデータを含むとき、ルール８５は、図９ｂに示されるように、第２のパワーランプの終点パラメータをサブフレームの内側に終点を置くように調節することによってパワーマスクパラメータの適合を行うルールである。
【００２９】
サブフレームがデータを含み、送信されるこのサブフレームの次のサブフレームがデータを含むとき、ルール８１は、図９ｃに示されるように、第２のパワーランプの始点パラメータをサブフレームの内側に始点を置くように調節し、第２のパワーランプの終点パラメータをサブフレームの外側に終点を置くように調節し、かつ第２のパワーランプの継続期間を短縮することによって、パワーマスクパラメータの適合を行うルールである。
【００３０】
また別の例は、送信されるＯＦＤＭシンボルが基準信号を含むときであり、ルール８３、８６は、図９ｄに示されるように、第１のパワーランプの終点パラメータをＯＦＤＭシンボルの外側に終点を置くように調節し、かつ第２のパワーランプの始点パラメータをＯＦＤＭシンボルの外側に始点を置くように調節することによって、パワーマスクパラメータの適合を行うルールである。
【００３１】
また別の例は、送信されるＯＦＤＭシンボルの前のＯＦＤＭシンボルが基準信号を含むときであり、ルール８３、８６は、図９ｅに示されるように、第１のパワーランプの始点パラメータをＯＦＤＭシンボルの内側に始点を置くように調節することによって、パワーマスクパラメータの適合を行うルールである。
【００３２】
また別の例は、送信されるＯＦＤＭシンボルの次のＯＦＤＭシンボルが基準信号を含むときであり、ルール８２、８７は、第２のパワーランプの終点パラメータをＯＦＤＭシンボルの内側に置くように終点を調節することによって、パワーマスクパラメータの適合を行うルールである。
【００３３】
別の例は、送信されるサブフレームの次のサブフレームが、例えば１６ＱＡＭ（直角位相振幅変調）または６４ＱＡＭまたはより高次の変調などの高次変調データを含むときである。このルールは、第２のパワーランプの終点パラメータをサブフレームの内側に置くように調節することによって、パワーマスクパラメータの適合を行うルールである。また、送信されるサブフレームの次のサブフレームが、例えばＢＰＳＫ（二相位相変調）またはＱＰＳＫ（四相位相変調）などの低次変調データを含むとき、ルールは、第２のパワーランプの始点パラメータをサブフレームの外側に置くように調節することによって行われるパワーマスクパラメータの適合を備える。
【００３４】
また、本発明の一実施形態では、信号送信中の信号妨害の閾値を決定できよう。また、信号が強く、信号妨害が所定の閾値以下であるとき、ルールは、第１のパワーランプの終点パラメータをサブフレームの外側に置くように調節し、かつ第２のパワーランプの始点パラメータをサブフレームの外側に置くように調節することによって、パワーマスクパラメータの適合を行うルールとなる。また、信号が弱く、信号妨害が所定の閾値を超える場合、ルールは、第１のパワーランプの始点パラメータをサブフレームの内側に置くように調節し、かつ第２のパワーランプの終点パラメータをサブフレームの内側に置くように調節することによって、パワーマスクパラメータの適合を行うルールとなる。
【００３５】
同一または類似のルールがｅＮｏｄｅＢで実施される方法に適用されてもよいことに言及すべきである。各ｅＮｏｄｅＢは、そのｅＮｏｄｅＢ自身に接続されたＵＥをスケジュールする。さらに、ｅＮｏｄｅＢは、相互接続されているので、スケジューリング情報を交換しうる。従って、ｅＮｏｄｅＢは、サブフレームがスケジュールされるか否かに関する情報を交換しうる。
【００３６】
それ故、ｅＮｏｄｅＢは、原理上、次のサブフレームが別のｅＮｏｄｅＢによって使用されるか使用されないかを識別できよう。この理由は、ｅＮｏｄｅＢが相互接続され、それらがｅＮｏｄｅＢ−ｅＮｏｄｅＢインタフェース経由で、スケジューリング情報または少なくとも次のサブフレームがスケジュールされているか否かに関する情報を送受信しうるからである。ｅＮｏｄｅＢは、相互接続されているので、次のサブフレームが別のｅＮｏｄｅＢによって使用されるか使用されないかが分かる。
【００３７】
前述のように、事前定義済パワーマスクの適合は、シグナリングによる動的設定により実現されてもよい。基地局すなわちｅＮｏｄｅＢが利用するパワーマスクは、基地局内部で動的に設定されてもよい。ＵＴＲＡＮのようなシステムでは、ＲＮＣは、ＲＮＣとＮｏｄｅＢとの間のインタフェースすなわちＩｕｂインタフェースを通じたシグナリングによって基地局のパワーマスクを設定できよう。
【００３８】
しかし、ＵＥで利用するパワーマスクの適合は、明示的な無線インタフェースシグナリングにも基づいてもよい。例えば大きなセル内の特定のパワーマスクなどの、特定の信号送信特徴を有するセル内で同じ適合済パワーマスクが、すべてのＵＥによって使用される場合、シグナリングは、ｅＮｏｄｅＢからブロードキャストチャネルによって送信されてもよい。あるいは、各ＵＥは、ＲＲＣ（無線リソース制御）シグナリングまたはＭＡＣ（媒体アクセス制御）シグナリングによって、特定のパワーマスクに従って送信するように個別に設定されてもよい。図７ｂは、ＵＥ５４で実施される本発明の一実施形態を示し、そこでは、ＵＥ５４がｅＮｏｄｅＢから事前定義済パワーマスクをどのように適合させるかのインストラクション（指示）を受信する。この実施形態の１つの利点は、パワーマスクをどのように適合させるべきかの計算がｅＮｏｄｅＢで実行されるので、ＵＥ５４の電力消費が減少されることである。この実施形態の別の利点は、ｅＮｏｄｅＢが例えばキュー長などのシステム状態、および無線状態についての情報をＵＥより多く持っていることから、システム性能を最大化しうることである。
【００３９】
ＵＥで利用するパワーマスクをシグナリングによって設定する異なるやり方がある。一実施形態では、ｅＮｏｄｅＢがサブフレームまたはＯＦＤＭシンボルの端からの正確な時間オフセットを伝達する。別の実施形態では、ｅＮｏｄｅＢは、すべてのランプがサブフレームまたはＯＦＤＭシンボルの終わりかまたは始まりに開始するように指示する。また別の実施形態では、ｅＮｏｄｅＢは、複数の仕様を明確に定義済みの適合済パワーマスクの中の１つの適合済パワーマスクの識別子、すなわち複数の標準化されたパワーマスクの中から１つの標準化パワーマスクのアイデンティティ（識別情報）をＵＥに送信する。上記の事例のすべてにおいて、ＵＥが利用するパワーマスクは、ｅＮｏｄｅＢから動的または準静的に設定および制御される。
【００４０】
図７ａに示される方法は、図１０に示される装置で実施されてもよい。装置１００は、信号送信のサブフレームまたはＯＦＤＭシンボルに対して事前定義済パワーマスクを設定するユニット１０２を備える。装置１００は、信号送信の信号送信特徴にパワーマスクの少なくとも１つのパワーマスクパラメータを適合させるユニット１０４と、サブフレームもしくはＯＦＤＭシンボルに適合済パワーマスクを適用するユニット１０６とをさらに備える。パワーマスクパラメータを適合させるユニット１０４は、前述の本発明の方法に従ってパワーマスクパラメータを調節するように構成される。
【００４１】
また、装置１００は、ＵＥ５４またはｅＮｏｄｅＢ５０内に実装できよう。本発明の一実施形態では、装置は、図１１に示されるようにＵＥ５４内に実装される。装置は、ｅＮｏｄｅＢ５０からパワーマスクパラメータをどのように適合させるかの指示を受信する受信部１０８をさらに備えることができよう。
【００４２】
本発明は、もちろん、本発明の必須の特徴から逸脱することなしに、本明細書に具体的に記載したやり方とは別のやり方で実行されてもよい。本実施形態は、すべての点で例証であり限定でないと見なされるべきである。
【図１】
0005460765.tif 000002
【図２ａ】
0005460765.tif 000003
【図２ｂ】
0005460765.tif 000004
【図２ｃ】
0005460765.tif 000005
【図３】
0005460765.tif 000006
【図４】
0005460765.tif 000007
【図５】
0005460765.tif 000008
【図６ａ】
0005460765.tif 000009
【図６ｂ】
0005460765.tif 000010
【図７ａ】
0005460765.tif 000011
【図７ｂ】
0005460765.tif 000012
【図８】
0005460765.tif 000013
【図９ａ】
0005460765.tif 000014
【図９ｂ】
0005460765.tif 000015
【図９ｃ】
0005460765.tif 000016
【図９ｄ】
0005460765.tif 000017
【図９ｅ】
0005460765.tif 000018
【図１０】
0005460765.tif 000019
【図１１】
0005460765.tif 000020